(57)【特許請求の範囲】
【請求項１】
周波数同調及び復調のための基準信号を一部に含むディジタル放送信号を受信し、ディジタル放送信号をその基準信号に基づいて周波数同調及び復調してその放送内容を出力するディジタル放送用受信機(10)において、
（ａ）出力中の放送内容を含むディジタル放送信号を、その基準信号から求めた周波数偏差及び位相偏差に基づいて周波数同調及び復調する第１の受信部(12a)、
（ｂ）前記第１の受信部(12a)が周波数同調及び復調しているディジタル放送信号とは別のディジタル放送信号を、前記別のディジタル放送信号の基準信号から求めた周波数偏差及び位相偏差に基づいて周波数同調及び復調する第２の受信部(12b)、及び
（ｃ）前記別のディジタル放送信号に含まれる放送内容へ出力を切替えるときは前記第２の受信部(12b)で周波数同調及び復調のために使用していた周波数偏差及び位相偏差を前記第１の受信部(12a)へ送るとともにその送った周波数偏差及び位相偏差に基づいて前記第１の受信部(12a)において前記別のディジタル放送信号を周波数同調及び復調させる制御手段(13)、
を有していることを特徴とするディジタル放送用受信機。
【請求項２】
前記第２の受信部（１２ｂ）は複数個存在することを特徴とする請求項１記載のディジタル放送用受信機。
【請求項３】
前記第２の受信部（１２ｂ）が１個のみ存在し、前記制御手段（１３）は、第２の受信部（１２ｂ）が周波数同調するディジタル放送信号を適宜切替えて、前記第２の受信部（１２ｂ）における各ディジタル放送信号についての周波数偏差及び位相偏差を記憶し、前記第１の受信部（１２ａ）におけるディジタル放送信号の変更の際は記憶しておいた周波数偏差及び位相偏差を前記第１の受信部（１２ａ）へ送ることを特徴とする請求項１記載のディジタル放送用受信機。
【請求項４】
各アンサンブルが複数個のオーディオサービス成分を含み、１個のアンサンブルは１個のディジタル放送信号に対応付けられ、各ディジタル放送信号は、各ディジタル放送信号ごとに周波数同調及び復調のための基準信号を一部に含み、ディジタル放送信号をそれ自身の基準信号に基づいて周波数同調及び復調して、周波数同調及び復調したディジタル放送信号に含まれるオーディオサービス成分を出力するディジタル放送用受信機(10)において、
（ａ）それぞれ別のアンサンブルに係るディジタル放送信号をそれ自身の基準信号から求めた周波数偏差及び位相偏差に基づいて周波数同調及び復調する複数個の受信部(12a,12b)、及び
（ｂ）ユーザが切替えたサービス成分を含むディジタル放送信号を周波数同調及び復調している受信部(12a,12b)を選択して該選択した受信部(12a,12b)が周波数同調及び復調しているディジタル放送信号のオーディオサービス成分を出力する選択手段(24)、
を有していることを特徴とするディジタル放送用受信機。
【発明の詳細な説明】
【０００１】
【発明の属する技術分野】
この発明は、例えばＤＡＢ（Ｄｉｇｉｔａｌ  Ａｕｄｉｏ  Ｂｒｏａｄｃａｓｔｉｎｇ：ディジタルオーディオ放送）等のディジタル放送を受信するディジタル放送用受信機に係り、詳しくはディジタル放送信号の切替を円滑にするディジタル放送用受信機に関するものである。
【０００２】
【従来の技術】
ＦＭ放送の多局化に伴う混信に因る音質劣化や、移動体での良質な受信が難しいことに対処し得るラジオ放送形式としてＤＡＢが注目されている。ＤＡＢは、ユーレカ（ＥＵＲＥＫＡ：欧州先端技術開発計画）で開発が進められ、すでに、仕様が定められており、変調方式としてπ／４シフトＤＱＰＳＫ−ＯＦＤＭ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ−Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）を採用して、フェージングやマルチパスの影響を受け難いという特徴を備えるとともに、音声符号化には高能率音声符号化のＭＰＥＧレイヤーＩＩを用い、１．５ＭＨｚの伝送帯域幅で多数のステレオ放送とデータ放送を可能にしている。
【０００３】
ＤＡＢでは、１個のアンサンブルは、複数個のサービスを含み、かつ直交周波数分割多重変調方式で伝送され、各サービスは、さらに、１個のプライマリのオーディオサービス成分と、０個以上のセカンダリのオーディオサービス成分及びデータサービス成分を含んでいる。また、ＤＡＢのディジタル放送信号の伝送フレームは基準信号としての同期チャネルを先頭部に含んでおり、ＤＡＢ用ラジオは、この同期チャネルに基づいて周波数同調及び復調し、所定のサービス成分をスピーカ又は表示器へ出力するようになっている。
【０００４】
ＤＡＢ用ラジオにおいて、出力の切替は、通常は、各サービスのプライマリサービス成分としてのオーディオサービス成分の切替である。同時点でスピーカから出力されるのは所定の１個のサービス成分であり、従来のＤＡＢ用ラジオでは、ＤＡＢ用ディジタル放送信号を周波数同調及び復調する受信部は当然に１個しか存在しない。
【０００５】
【発明が解決しようとする課題】
従来のＤＡＢ用ラジオにおいて、サービス成分の切替が同一のアンサンブル内であれば、周波数同調及び復調するディジタル放送信号を変更する必要がないが、アンサンブルの異なるサービス成分へ切替える際は、周波数同調及び復調するディジタル放送信号を変更しなければならず、また、ＤＡＢのディジタル放送信号は伝送フレームの先頭の一部しか基準信号としての同期チャネルを含んでいないので、切替後のディジタル放送信号に周波数同調及び復調するのに時間がかかり、切替後のアンサンブルのサービス成分をスピーカから出力するまでに、遅延が生じている。
【０００６】
この発明の目的は、上述の問題点を克服できるディジタル放送用受信機を提供することである。
【０００７】
【課題を解決するための手段】
この発明のディジタル放送用受信機（１０）は、周波数同調及び復調のための基準信号を一部に含むディジタル放送信号を受信し、ディジタル放送信号を基準信号に基づいて周波数同調及び復調して、その放送内容を出力する。このディジタル放送用受信機（１０）は次の（ａ）〜（ｃ）を有している。
（ａ）出力中の放送内容を含むディジタル放送信号を、その基準信号から求めた周波数偏差及び位相偏差に基づいて周波数同調及び復調する第１の受信部（１２ａ）
（ｂ）第１の受信部（１２ａ）が周波数同調及び復調しているディジタル放送信号以外のディジタル放送信号を、その基準信号から求めた周波数偏差及び位相偏差に基づいて周波数同調及び復調する第２の受信部（１２ｂ）
（ｃ）出力中の放送内容を含むディジタル放送信号以外のディジタル放送信号に含まれる放送内容へ出力を切替えるときは第２の受信部（１２ｂ）で周波数同調及び復調のために使用していた周波数偏差及び位相偏差を第１の受信部（１２ａ）へ送って第１の受信部（１２ａ）で切替後のディジタル放送信号を周波数同調及び復調させる制御手段（１３）
【０００８】
ディジタル放送信号には、少なくともＤＡＢの放送信号を含み、ディジタル放送用受信機（１０）には、少なくともＤＡＢ用カーラジオ（１０）を含む。
【０００９】
ディジタル放送信号は、基準信号を一部に含んでいるのみであるので、ディジタル放送信号を周波数同調及び復調するために必要な周波数偏差及び位相偏差は、求めるのに時間を要する。しかし、出力する放送内容に係るディジタル放送信号を切替える際は、第２の受信部（１２ｂ）においてすでに求められている周波数偏差及び位相偏差を利用するので、第１の受信部（１２ａ）は、切替後のディジタル放送信号に迅速に同期して、その放送内容をスピーカ等より出力することができる。
【００１０】
この発明のディジタル放送用受信機（１０）によれば、第２の受信部（１２ｂ）は複数個存在する。
【００１１】
第２の受信部（１２ｂ）が複数個存在することにより、出力している放送内容を含むディジタル放送信号以外の複数個のディジタル放送信号の各々について、その周波数偏差及び位相偏差を予め求めておくことができ、出力中の放送内容を含むディジタル放送信号以外のディジタル放送信号が複数個ある場合にも、ユーザにより切替後のディジタル放送信号として選択されたディジタル放送信号が含む放送内容を迅速に出力できる。
【００１２】
この発明のディジタル放送用受信機（１０）によれば、第２の受信部（１２ｂ）が１個のみ存在する。制御手段（１３）は、第２の受信部（１２ｂ）が周波数同調するディジタル放送信号を適宜切替えて、第２の受信部（１２ｂ）における各ディジタル放送信号についての周波数偏差及び位相偏差を記憶し、第１の受信部（１２ａ）におけるディジタル放送信号の変更の際は記憶しておいた周波数偏差及び位相偏差を第１の受信部（１２ａ）へ送る。
【００１３】
放送内容を出力しているディジタル放送信号以外のディジタル放送信号が複数個あっても、これらディジタル放送信号の周波数偏差及び位相偏差は、第２の受信部（１２ｂ）における同調ディジタル放送信号を適宜切替えて、予め求めて、記憶しておく。したがって、出力中の放送内容を含むディジタル放送信号以外のディジタル放送信号が複数個ある場合にも、制御手段（１３）において記憶している各ディジタル放送信号の周波数偏差及び位相偏差を第１の受信部（１２ａ）へ送ることにより、ユーザにより切替後のディジタル放送信号として選択されたディジタル放送信号が含む放送内容を迅速に出力できる。
【００１４】
この発明のディジタル放送用受信機（１０）は、周波数同調及び復調のための基準信号を一部に含むディジタル放送信号を受信し、ディジタル放送信号を基準信号に基づいて周波数同調及び復調して、その放送内容を出力する。このディジタル放送用受信機（１０）は次の（ａ）及び（ｂ）を有している。
（ａ）それぞれ別のディジタル放送信号をその基準信号に基づいて周波数同調及び復調する複数個の受信部（１２ａ，１２ｂ）
（ｂ）複数個の受信部（１２ａ，１２ｂ）の中から１個を選択してその受信部（１２ａ，１２ｂ）が周波数同調及び復調したディジタル放送信号の放送内容を出力する選択手段（２４）
【００１５】
受信部（１２ａ，１２ｂ）の個数は、２個に限定されず、３個以上も含む。出力しようとする放送内容を含むディジタル放送信号を切替えるときは、選択手段（２４）が、他の受信部（１２ａ，１２ｂ）においてすでに周波数同調及び復調しているディジタル放送信号を選択することになるので、基準信号がディジタル放送信号の一部しかなく、周波数偏差及び位相偏差を検出するのに時間がかかるような場合であっても、切替後のディジタル放送信号を迅速に周波数同調及び復調して、その放送内容を出力することができる。
【００１６】
【発明の実施の形態】
以下、発明の実施の形態について図面を参照して説明する。
図１及び図２  において、伝送フレーム等、ＤＡＢの各種要素の通信プロトコルを適宜、説明しているが、詳細は、ヨーロッパテレコミュニケーション標準協会（Ｅｕｒｏｐｅａｎ  Ｔｅｌｅｃｏｍｍｕｉｎｉｃａｔｉｏｎｓ  Ｓｔａｎｄａｒｄｓ  Ｉｎｓｔｉｕｔｅ）発行のヨーロッパテレコミュニケーション標準（Ｅｕｒｏｐｅａｎ  Ｔｅｌｅｃｏｍｍｕｉｎｉｃａｔｉｏｎｓ  Ｓｔａｎｄａｒｄ）を参照されたい。
【００１７】
図１はＤＡＢの送信フレームの構造を示す。送信フレーム（Ｔｒａｎｓｍｉｓｓｉｏｎ  ｆｒａｍｅ）は前から順番に同期チャネル（Ｓｙｎｃｈｒｏｎｉｚａｔｏｎ  ｃｈａｎｎｅｌ）、ＦＩＣ（Ｆａｓｔ  Ｉｎｆｏｒｍａｔｉｏｎ  Ｃｈａｎｎｅｌ）、及びＭＳＣ（Ｍａｉｎ  Ｓｅｒｖｉｃｅ  Ｃｈａｎｎｅｌ）を有している。同期チャネルは、２個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボルから成る。１番目のＯＦＤＭシンボルは所定時間”０”となるヌルシンボル（Ｎｕｌｌ  ｓｙｍｂｏｌ）である。２番目のＯＦＤＭシンボルは位相基準シンボル（Ｐｈａｓｅ  ｒｅｆｅｒｅｎｃｅ  ｓｙｍｂｏｌ）である。ヌルシンボルにより、このディジタル信号に周波数同調するのに必要な周波数偏差を検出することができる。位相基準シンボルによりこのディジタル信号を復調するのに必要な位相偏差を検出することができる。ＦＩＣはさらに複数個のＦＩＢ（Ｆａｓｔ  Ｉｎｆｏｒｍａｔｉｏｎ  Ｂｌｏｃｋ）から成り、ＭＳＣはさらに複数個のＣＩＦ（ＣｏｍｍｏｎＩｎｔｅｒｌｅａｖｅｄ  Ｆｒａｍｅ）から成る。ＤＡＢは、モード１からモード３まで、仕様を決められており、モードごとに、送信フレームの時間（ｄｕｒａｔｉｏｎ）及び１送信フレーム内のＦＩＢ及びＣＩＦの個数が異なっている。例えばモード１では、１送信フレームの時間は９６ｍｓ、１送信フレーム内のＦＩＢ及びＣＩＦの個数はそれぞれ１２個及び４個である。
【００１８】
図２はＤＡＢのサービス構造の例示図である。アンサンブルラベル（アンサンブル名）がＤＡＢアンサンブル１（ＤＡＢ  ＥＮＳＥＭＢＬＥ  ＯＮＥ）であるアンサンブル（Ｅｎｓｅｍｂｌｅ）は、サービスラベルがアルファ１ラジオ（ＡＬＰＨＡ１  ＲＡＤＩＯ）、ベータラジオ（ＢＥＴＡ  ＲＡＤＩＯ）、アルファ２ラジオ（ＡＬＰＨＡ２  ＲＡＤＩＯ）等の複数のサービス（Ｓｅｒｖｉｃｅ）を含んでいる。ユーザは、選択されたサービスをＤＡＢ用カーラジオ１０から聞くことになる。
【００１９】
アルファ１ラジオは、プライマリ（ｐｒｉｍａｒｙ）のサービス成分（Ｓｅｒｖｉｃｅ  ｃｏｍｐｏｎｅｎｔｓ）を１個、セカンダリ（ｓｅｃｏｎｄａｒｙ）のサービス成分を２個、それぞれ有している。プライマリのサービス成分はオーディオ（Ａｕｄｉｏ）であり、セカンダリのサービス成分は交通メッセージチャネル：ＴＭＣ（Ｔｒａｆｆｉｃ  Ｍｅｓｓａｇｅ  Ｃｈａｎｅｌ）とサービス情報：ＳＩ（Ｓｅｒｖｉｃｅ  Ｉｎｆｏｒｍａｔｉｏｎ）である。オーディオ成分とＳＩはＭＳＣ内の別々のサブチャネル（ＳｕｂＣｈ）で伝送され、ＴＭＣはＦＩＣ内のＦＩＤＣ（Ｆａｓｔ  Ｉｎｆｏｒｍａｔｉｏｎ  Ｄａｔａ  Ｃｈａｎｎｅｌ）で伝送される。
【００２０】
ベータラジオはサービス成分を２個もつ。オーディオと二次オーディオ（ｓｅｃｏｎｄａｒｙ  ａｕｄｉｏ  ｃｏｍｐｏｎｅｎｔ）であり、どちらもＭＳＣのサブチャネルに載せられる。
【００２１】
アルファ２ラジオは、アルファ１ラジオと同一のＴＭＣ及びＳＩをもち、スイッチの切替によってはオーディオもアルファ１ラジオと同じになることがある。
【００２２】
図３はＤＡＢ用カーラジオ10のブロック図である。ＤＡＢ用カーラジオ10は、アンテナ11、受信部12a，12b、制御部13、及びオーディオデコーダ14を含む。各受信部12a，12bは、周波数変換部19、ディジタル復調部20、及びクロック発生部21を含む。周波数変換部19は、アンテナ11からの所定のＲＦ信号に周波数同調して、中間周波数の信号へ変換、増幅し、ディジタル復調部20へ出力する。ディジタル復調部20では、クロック発生部21からのクロック信号に基づいて中間周波数信号を復調し、さらに、復号する。受信部12aのディジタル復調部20において復号されて抽出された所定のオーディオサービス成分のオーディオ信号は、さらに、オーディオデコーダ14へ出力されて、復号され、図示していないＤ／Ａ（ディジタル／アナログ）変換器を経てスピーカ（図示せず）へ出力される。これにより、オーディオサービス成分がスピーカから出力される。受信部12a，12bにおけるディジタル放送信号としてのアンサンブルの周波数同調及び復調の際は、そのアンサンブルに係る伝送フレームの同期チャネルのヌルシンボル及び位相基準シンボルが参照され、ヌルシンボル及び位相基準シンボルについての受信部12a，12bのディジタル復調部20の復調に伴って周波数同調、復調中のＲＦ信号に対する周波数偏差及び位相偏差が判明し、それが制御部13へ送られる。制御部13は、周波数偏差を周波数変換部19へフィードバックし、周波数変換部19は、このフィードバック信号に基づいて発生周波数を調整され、ＲＦ信号に正確に周波数同調する。クロック発生部21は、制御部13からの位相偏差のフィードバック信号に基づいてクロックパルスの位相を調整され、ディジタル復調部20は、クロック発生部21からのクロックパルスに基づいて位相偏差０となるように、復調を行う。
【００２３】
受信部１２ｂでは、受信部１２ａとは別のアンサンブルに係るディジタル信号に周波数同調して、それを復調する。したがって、制御部１３は、受信部１２ｂにおいて周波数同調、復調しているディジタル信号の周波数偏差及び位相偏差を把握できる。ユーザが、現在聞いているオーディオサービス成分を切替える場合に、切替後のオーディオサービス成分に係るアンサンブルが別のアンサンブル、すなわち受信部１２ｂにおいて周波数同調、復調しているディジタル信号である場合は、制御部１３から受信部１２ｂの周波数変換部１９及びクロック発生部２１へ制御信号として出力していた周波数偏差及び位相偏差を直ちに受信部１２ａの周波数変換部１９及びクロック発生部２１へ出力し、これにより、受信部１２ａは、直ちに他のアンサンブルに係るオーディオディジタル信号に周波数同調、復調する状態になり、切替後のサービス成分を直ちにスピーカより出力することができる。なお、受信部１２ａがアンサンブルの切替を完了した後は、受信部１２ａの周波数変換部１９及びクロック発生部２１には、受信部１２ａのディジタル復調部２０からの周波数偏差及び位相偏差のフィードバック信号を制御部１３より入力される。
【００２４】
アンサンブルが切替えられて、今まで受信部１２ｂが周波数同調、復調していたアンサンブルを受信部１２ａが周波数同調、復調することになった後は、受信部１２ｂは、制御部１３からの周波数同調信号の切替により第３のアンサンブルを周波数同調、復調することになる。第３のアンサンブルのない場合には、受信部１２ｂは、受信部１２ａにおけるアンサンブル切替前のアンサンブルを周波数同調、復調することになる。
【００２５】
図３のＤＡＢ用カーラジオ１０は、受信部１２ｂを１個しか備えていないので、３個以上のアンサンブルを聞ける地域において、ユーザが、受信部１２ｂがその時点で周波数同調、復調しているアンサンブル以外のアンサンブルへ切替えようとする場合には、そのアンサンブルのディジタル信号に係る周波数偏差及び位相偏差を把握していないので、迅速な切替ができないことになる。したがって、受信部１２ｂを複数個、設け、各受信部１２ｂにおいて、受信部１２ａが周波数同調、復調している以外のアンサンブルでかつ相互に異なるアンサンブルを周波数同調、復調することにする。そして、アンサンブル切替時では、ユーザが希望するアンサンブルを周波数同調、復調している受信部１２ｂからの周波数偏差及び位相偏差を制御部１３から受信部１２ａの周波数変換部１９及びクロック発生部２１へ出力する。
【００２６】
あるいは、受信部１２ｂにおいて周波数同調、復調するアンサンブルに係るディジタル信号を所定時間間隔で切替えることにし、各ディジタル信号についての周波数偏差及び位相偏差を制御部１３内の所定のメモリに記憶する。そして、アンサンブル切替時では、ユーザが希望するアンサンブルについてのメモリの周波数偏差及び位相偏差の記憶データを制御部１３から受信部１２ａの周波数変換部１９及びクロック発生部２１へ出力するようにする。
【００２７】
図４は図３のＤＡＢ用カーラジオ10の変形例である。図３と共通の部分は、同符号で指示して、説明は省略し、相違点についてのみ説明する。受信部12aが複数個設けられる。このＤＡＢ用カーラジオ10では、選択部24が設けられ、ユーザによるサービス成分の切替に応じて、受信部12a，12bとオーディオデコーダ14との接続が選択部24により切替えられる。これにより、ユーザが切替えたサービス成分を含むアンサンブルに周波数同調、復調している受信部12a又は受信部12bが選択されて、その出力がオーディオデコーダ14へ送られて、スピーカより放送内容が出力される。図４のＤＡＢ用カーラジオ10において、アンサンブルの個数に応じて受信部の個数を増大し、３個以上の受信部12a，12bの中から所望の受信部を選択部24が選択するようにしてもよい。
【図面の簡単な説明】
【図１】ＤＡＢの送信フレームの構造を示す図である。
【図３】ＤＡＢ用カーラジオのブロック図である。
【図２】ＤＡＢのサービス構造の例示図である。
【図４】図３のＤＡＢ用カーラジオの変形例である。
【符号の説明】
１０    ＤＡＢ用カーラジオ（ディジタル放送用受信機、ＤＡＢ用ラジオ）
１２ａ    受信部（受信部、第１の受信部）
１２ｂ    受信部（受信部、第２の受信部）
１３    制御部
２４    選択部（選択手段）
【図１】
0003593254.tif 000002
【図２】
0003593254.tif 000003
【図３】
0003593254.tif 000004
【図４】
0003593254.tif 000005